(57)【特許請求の範囲】
【請求項１】
主映像を表す主映像信号を入力する主映像信号入力部と、
副映像を表す副映像信号を入力する副映像信号入力部と、
前記主映像の明るさを検出して、前記主映像の明るさ指標値を出力する主映像輝度検出部と、
前記副映像の明るさを検出して、前記副映像の明るさ指標値を出力する副映像輝度検出部と、
前記副映像の明るさ指標値に対する前記主映像の明るさ指標値の比に基づいて前記副映像の輝度を調整する輝度調整部と、
前記主映像信号と、輝度が調整された前記副映像を表す前記副映像信号とを合成し、合成映像信号を生成する映像信号合成部と、
前記合成映像信号を映像表示装置に出力する映像信号出力部と
を有し、
前記輝度調整部は、前記副映像の明るさ指標値に対する前記主映像の明るさ指標値の比を、前記副映像の輝度に掛けることで、前記副映像の輝度を調整する
ことを特徴とする映像再生装置。
【請求項２】
前記輝度調整部は前記副映像の明るさ指標値が前記主映像の明るさ指標値に一致するように、前記副映像の輝度を調整することを特徴とする請求項１に記載の映像再生装置。
【請求項３】
前記主映像輝度検出部は、前記主映像の明るさ指標値として、前記主映像の輝度平均値を検出し、
前記副映像輝度検出部は、前記副映像の明るさ指標値として、前記副映像の輝度平均値を検出する
ことを特徴とする請求項１又は２に記載の映像再生装置。
【請求項４】
前記主映像輝度検出部は、前記主映像の明るさ指標値として、前記主映像の輝度最頻値を検出し、
前記副映像輝度検出部は、前記副映像の明るさ指標値として、前記副映像の輝度最頻値を検出する
ことを特徴とする請求項１又は２に記載の映像再生装置。
【請求項５】
前記主映像輝度検出部は、前記主映像の明るさ指標値として、前記主映像の輝度中央値を検出し、
前記副映像輝度検出部は、前記副映像の明るさ指標値として、前記副映像の輝度中央値を検出する
ことを特徴とする請求項１又は２に記載の映像再生装置。
【請求項６】
主映像を表す主映像信号を入力する主映像信号入力部と、
副映像を表す副映像信号を入力する副映像信号入力部と、
輝度変換情報に基づいて前記副映像の輝度を調整する輝度調整部と、
前記主映像信号と、輝度が調整された前記副映像を表す前記副映像信号とを合成し、合成映像信号を生成する映像信号合成部と、
前記合成映像信号を映像表示装置に出力する映像信号出力部と、
基準上限値を記憶する基準上限値メモリと、
前記基準上限値メモリから前記基準上限値を読み出すとともに、前記映像表示装置で表示可能な最大輝度値を前記映像表示装置から取得し、読み出された前記基準上限値と、取得した前記最大輝度値とから前記輝度変換情報を生成する輝度変換情報生成部とを有する
ことを特徴とする映像再生装置。
【請求項７】
前記輝度変換情報が、前記基準上限値の前記最大輝度値に対する比を前記副映像の各画素の輝度値に掛けることで、輝度調整後の当該画素の輝度値を算出する関数を定義するものであることを特徴とする請求項６に記載の映像再生装置。
【請求項８】
前記基準上限値が予め定められた固定値であることを特徴とする請求項６又は７に記載の映像再生装置。
【請求項９】
前記基準上限値がユーザーによる操作により変更可能な値であることを特徴とする請求項６又は７に記載の映像再生装置。
【請求項１０】
主映像を表す主映像信号を入力する主映像信号入力部と、
副映像を表す副映像信号を入力する副映像信号入力部と、
輝度変換情報に基づいて前記副映像の輝度を調整する輝度調整部と、
前記主映像信号と、輝度が調整された前記副映像を表す前記副映像信号とを合成し、合成映像信号を生成する映像信号合成部と、
前記合成映像信号を映像表示装置に出力する映像信号出力部と、
複数の前記輝度変換情報を記憶する輝度変換情報メモリとを有し、
複数の前記輝度変換情報のいずれかを指定する指定情報が、前記主映像信号及び前記副映像信号と共に多重化ストリームに含まれ、
前記主映像信号入力部は、前記多重化ストリームから前記主映像信号を抽出し、
前記副映像信号入力部は、前記多重化ストリームから前記副映像信号を抽出し、
前記多重化ストリームから前記指定情報を抽出し、抽出した前記指定情報に基づいて、前記輝度変換情報メモリに記憶されている複数の前記輝度変換情報のうちのいずれかを選択して取得する輝度変換情報取得部をさらに有し、
前記輝度調整部は、前記輝度変換情報取得部で取得された前記輝度変換情報を用いて前記副映像の輝度を調整する
ことを特徴とする映像再生装置。
【請求項１１】
主映像を表す主映像信号を入力する主映像信号入力部と、
副映像を表す副映像信号を入力する副映像信号入力部と、
輝度変換情報に基づいて前記副映像の輝度を調整する輝度調整部と、
前記主映像信号と、輝度が調整された前記副映像を表す前記副映像信号とを合成し、合成映像信号を生成する映像信号合成部と、
前記合成映像信号を映像表示装置に出力する映像信号出力部とを有し、
前記主映像信号入力部が、記録媒体から、前記主映像信号を入力し、
前記副映像信号入力部が、前記記録媒体から、前記副映像信号を入力し、
複数の前記輝度変換情報を記憶する輝度変換情報メモリをさらに備え、
複数の前記輝度変換情報のいずれかを指定する指定情報が、前記輝度変換情報は再生制御情報として前記主映像信号及び前記副映像信号と共に前記記録媒体に記録されており、
前記記録媒体から、前記指定情報を読み出す記録媒体再生部と、
前記記録媒体再生部で読み出された前記指定情報に基づいて、前記輝度変換情報メモリに記憶されている複数の前記輝度変換情報のうちのいずれかを選択して取得する輝度変換情報取得部とをさらに有し、
前記輝度調整部は、前記輝度変換情報取得部で取得された前記輝度変換情報を用いて前記副映像の輝度を調整する
ことを特徴とする映像再生装置。
【請求項１２】
主映像を表す主映像信号を入力する主映像信号入力部と、
副映像を表す副映像信号を入力する副映像信号入力部と、
輝度変換情報に基づいて前記副映像の輝度を調整する輝度調整部と、
前記主映像信号と、輝度が調整された前記副映像を表す前記副映像信号とを合成し、合成映像信号を生成する映像信号合成部と、
前記合成映像信号を映像表示装置に出力する映像信号出力部とを有し、
前記主映像信号入力部が、記録媒体から、前記主映像信号を入力し、
前記副映像信号入力部が、前記記録媒体から、前記副映像信号を入力し、
前記輝度変換情報を指定する指定情報が、再生制御情報として前記主映像信号及び前記副映像信号と共に前記記録媒体に記録されており、
前記記録媒体から、前記指定情報を読み出す記録媒体再生部と、
ネットワークを介して１又は２以上のサーバーに接続されており、前記記録媒体再生部で読み出された前記指定情報に基づいて、前記サーバーのいずれかに記憶されている前記輝度変換情報のいずれかを選択して取得する輝度変換情報取得部とをさらに有し、
前記輝度調整部は、前記輝度変換情報取得部で取得された前記輝度変換情報を用いて前記副映像の輝度を調整する
ことを特徴とする映像再生装置。
【請求項１３】
主映像を表す主映像信号を入力する主映像信号入力ステップと、
副映像を表す副映像信号を入力する副映像信号入力ステップと、
前記主映像の明るさを検出して、前記主映像の明るさ指標値を出力する主映像輝度検出ステップと、
前記副映像の明るさを検出して、前記副映像の明るさ指標値を出力する副映像輝度検出ステップと、
前記副映像の明るさ指標値に対する前記主映像の明るさ指標値の比に基づいて前記副映像の輝度を調整する輝度調整ステップと、
前記主映像信号と、輝度が調整された前記副映像を表す前記副映像信号とを合成し、合成映像信号を生成する映像信号合成ステップと、
前記合成映像信号を映像表示装置に出力する映像信号出力ステップと
を有し、
前記輝度調整ステップは、前記副映像の明るさ指標値に対する前記主映像の明るさ指標値の比を、前記副映像の輝度に掛けることで、前記副映像の輝度を調整する
ことを特徴とする映像再生方法。
【発明の詳細な説明】
【技術分野】
【０００１】
本発明は、光記録媒体、ハードディスクドライブ等の記録媒体に保存されたコンテンツを再生する映像再生装置及び方法に関するものである。
【背景技術】
【０００２】
映像再生装置で再生される記録媒体には、符号化された映像及び音声のデータであるストリーム及び当該ストリームの再生制御情報が記録されている。当該ストリームは、符号化映像ストリームおよび符号化音声ストリームを含む。符号化映像ストリームは、例えばＭＰＥＧ−２方式により符号化された映像信号である。
符号化映像ストリームは、主映像ストリームと１又は２以上の副映像ストリームとが多重化された映像ストリームである。主映像ストリームはコンテンツの主映像を表すものである。副映像ストリームは主映像とともに表示される字幕、ＧＵＩ（グラフィカルユーザーインターフェース）のアイコン等補助的な映像を表すものである。
符号化音声ストリームは例えばＡＣ−３方式により符号化された音声信号である。
【０００３】
映像再生装置は、符号化映像ストリームから主映像ストリームと副映像ストリームとを分離し、主映像に副映像を合成して映像表示装置に出力する。合成に先立ち、主映像の輝度に基づいて副映像の輝度を調整することが特許文献１に開示されている。この調整は、表示装置に表示された主映像が明るいシーンであっても暗いシーンであっても見やすい主映像及び副映像を表示して、ユーザーの目の疲労を少なくすることを狙いとするものである。
【先行技術文献】
【特許文献】
【０００４】
【特許文献１】特開２００４−１９４３１１号公報（第８−１１頁、第１図）
【発明の概要】
【発明が解決しようとする課題】
【０００５】
このような映像再生装置にあっては、副映像の輝度平均値が主映像の輝度平均値と大幅に異なる場合には非常に見づらい映像になるという問題があった。
【０００６】
本発明は上記従来の課題を解決するもので、副映像の輝度平均値が主映像の輝度平均値と大幅に異なる場合にも映像を見やすくし、ユーザーの目の疲労を少なくすることを目的とする。
【課題を解決するための手段】
【０００７】
本発明の第１の態様の映像再生装置は、
主映像を表す主映像信号を入力する主映像信号入力部と、
副映像を表す副映像信号を入力する副映像信号入力部と、
前記主映像の明るさを検出して、前記主映像の明るさ指標値を出力する主映像輝度検出部と、
前記副映像の明るさを検出して、前記副映像の明るさ指標値を出力する副映像輝度検出部と、
前記副映像の明るさ指標値に対する前記主映像の明るさ指標値の比に基づいて前記副映像の輝度を調整する輝度調整部と、
前記主映像信号と、輝度が調整された前記副映像を表す前記副映像信号とを合成し、合成映像信号を生成する映像信号合成部と、
前記合成映像信号を映像表示装置に出力する映像信号出力部と
を有し、
前記輝度調整部は、前記副映像の明るさ指標値に対する前記主映像の明るさ指標値の比を、前記副映像の輝度に掛けることで、前記副映像の輝度を調整することを特徴とする。
【０００８】
本発明の第２の態様の映像再生装置は、
主映像を表す主映像信号を入力する主映像信号入力部と、
副映像を表す副映像信号を入力する副映像信号入力部と、
輝度変換情報に基づいて前記副映像の輝度を調整する輝度調整部と、
前記主映像信号と、輝度が調整された前記副映像を表す前記副映像信号とを合成し、合成映像信号を生成する映像信号合成部と、
前記合成映像信号を映像表示装置に出力する映像信号出力部と、
基準上限値を記憶する基準上限値メモリと、
前記基準上限値メモリから前記基準上限値を読み出すとともに、前記映像表示装置で表示可能な最大輝度値を前記映像表示装置から取得し、読み出された前記基準上限値と、取得した前記最大輝度値とから前記輝度変換情報を生成する輝度変換情報生成部と
を有することを特徴とする。
本発明の他の態様の映像再生装置は、
主映像を表す主映像信号を入力する主映像信号入力部と、
副映像を表す副映像信号を入力する副映像信号入力部と、
輝度変換情報に基づいて前記副映像の輝度を調整する輝度調整部と、
前記主映像信号と、輝度が調整された前記副映像を表す前記副映像信号とを合成し、合成映像信号を生成する映像信号合成部と、
前記合成映像信号を映像表示装置に出力する映像信号出力部と、
複数の前記輝度変換情報を記憶する輝度変換情報メモリとを有し、
複数の前記輝度変換情報のいずれかを指定する指定情報が、前記主映像信号及び前記副映像信号と共に多重化ストリームに含まれ、
前記主映像信号入力部は、前記多重化ストリームから前記主映像信号を抽出し、
前記副映像信号入力部は、前記多重化ストリームから前記副映像信号を抽出し、
前記多重化ストリームから前記指定情報を抽出し、抽出した前記指定情報に基づいて、前記輝度変換情報メモリに記憶されている複数の前記輝度変換情報のうちのいずれかを選択して取得する輝度変換情報取得部をさらに有し、
前記輝度調整部は、前記輝度変換情報取得部で取得された前記輝度変換情報を用いて前記副映像の輝度を調整する
ことを特徴とする。
本発明のさらに他の態様の映像再生装置は、
主映像を表す主映像信号を入力する主映像信号入力部と、
副映像を表す副映像信号を入力する副映像信号入力部と、
輝度変換情報に基づいて前記副映像の輝度を調整する輝度調整部と、
前記主映像信号と、輝度が調整された前記副映像を表す前記副映像信号とを合成し、合成映像信号を生成する映像信号合成部と、
前記合成映像信号を映像表示装置に出力する映像信号出力部とを有し、
前記主映像信号入力部が、記録媒体から、前記主映像信号を入力し、
前記副映像信号入力部が、前記記録媒体から、前記副映像信号を入力し、
複数の前記輝度変換情報を記憶する輝度変換情報メモリをさらに備え、
複数の前記輝度変換情報のいずれかを指定する指定情報が、前記輝度変換情報は再生制御情報として前記主映像信号及び前記副映像信号と共に前記記録媒体に記録されており、
前記記録媒体から、前記指定情報を読み出す記録媒体再生部と、
前記記録媒体再生部で読み出された前記指定情報に基づいて、前記輝度変換情報メモリに記憶されている複数の前記輝度変換情報のうちのいずれかを選択して取得する輝度変換情報取得部とをさらに有し、
前記輝度調整部は、前記輝度変換情報取得部で取得された前記輝度変換情報を用いて前記副映像の輝度を調整する
ことを特徴とする。
本発明のさらに他の態様の映像再生装置は、
主映像を表す主映像信号を入力する主映像信号入力部と、
副映像を表す副映像信号を入力する副映像信号入力部と、
輝度変換情報に基づいて前記副映像の輝度を調整する輝度調整部と、
前記主映像信号と、輝度が調整された前記副映像を表す前記副映像信号とを合成し、合成映像信号を生成する映像信号合成部と、
前記合成映像信号を映像表示装置に出力する映像信号出力部とを有し、
前記主映像信号入力部が、記録媒体から、前記主映像信号を入力し、
前記副映像信号入力部が、前記記録媒体から、前記副映像信号を入力し、
前記輝度変換情報を指定する指定情報が、再生制御情報として前記主映像信号及び前記副映像信号と共に前記記録媒体に記録されており、
前記記録媒体から、前記指定情報を読み出す記録媒体再生部と、
ネットワークを介して１又は２以上のサーバーに接続されており、前記記録媒体再生部で読み出された前記指定情報に基づいて、前記サーバーのいずれかに記憶されている前記輝度変換情報のいずれかを選択して取得する輝度変換情報取得部とをさらに有し、
前記輝度調整部は、前記輝度変換情報取得部で取得された前記輝度変換情報を用いて前記副映像の輝度を調整する
ことを特徴とする。
【発明の効果】
【０００９】
本発明によれば、映像を見やすくし、ユーザーの目の疲労を少なくすることができる。
【図面の簡単な説明】
【００１０】
【図１】本発明の実施の形態１の映像再生装置の構成を示すブロック図である。
【図２】（ａ）及び（ｂ）は、１フレーム内の画素の配置の例、及び副映像部分における画素の配置の例を示す図である。
【図３】本発明の実施の形態２の映像再生装置の構成を示すブロック図である。
【図４】本発明の実施の形態３の映像再生装置の構成を示すブロック図である。
【図５】本発明の実施の形態４の映像再生装置の構成を示すブロック図である。
【図６】本発明の実施の形態５の映像再生装置の構成を示すブロック図である。
【図７】本発明の実施の形態６の映像再生装置の構成を示すブロック図である。
【図８】本発明の実施の形態７の映像再生装置の構成を示すブロック図である。
【図９】本発明の実施の形態８の映像再生装置の構成を示すブロック図である。
【図１０】実施の形態１又は２の映像再生装置で実施される映像再生方法における処理の手順を示すフローチャートである。
【図１１】実施の形態３から８のいずれかの映像再生装置で実施される映像再生方法における処理の手順を示すフローチャートである。
【図１２】本発明の実施の形態１から８の映像再生装置の処理を実行するコンピュータの構成を示すブロック図である。
【発明を実施するための形態】
【００１１】
実施の形態１．
図１は本発明の実施の形態１の映像再生装置の構成を示すブロック図である。実施の形態１の映像再生装置２は、光記録媒体３から多重化ストリームを読出し、読み出した多重化ストリームから主映像ストリーム及び副映像ストリームを抽出し、主映像及び副映像を映像表示装置４に表示させる。
主映像ストリームは、コンテンツの主たる映像（主映像）を表すものである。
副映像ストリームは、主映像とともに表示される字幕、ＧＵＩのアイコン、例えばメニュー画面のアイコン等の補助的な映像（副映像）を表すものである。
主映像は画面（フレーム）の全体又は大部分に表示される。
副映像は主映像の一部に重ねて、或いは主映像の子画面として表示される。
符号化映像ストリームは、例えばＭＰＥＧ−２方式、Ｈ．２６４方式、或いはＨＥＶＣ方式により符号化された映像信号である。
【００１２】
主映像ストリームと副映像ストリームをそれぞれデコードすることで得られる主映像信号の輝度信号と副映像信号の輝度信号とが各々例えば８ビットの階調信号である時、映像の明るさは２５６段階で表現される。
光記録媒体３に記録されている映像信号で表される映像の明るさは撮像時のレンズの絞りと露光時間と固体撮像素子の感度とによって決まり、更にマスタリング作業により映像の明るさが調整されている。
【００１３】
副映像の明るさと主映像の明るさとが大幅に異なる場合には非常に見にくい映像になるため、実施の形態１の映像再生装置は、主映像の明るさの指標値と副映像の明るさの指標値に基づいて副映像の輝度を調整する。そして、主映像と、調整後の副映像とを合成し、外部の映像表示装置４に出力する。映像表示装置４は、例えばテレビ受信機の表示部、パソコンのモニターで構成される。
明るさの指標値として、本実施の形態では輝度平均値が求められる。
【００１４】
図１において、映像再生装置２は、記録媒体再生部１２と、多重化ストリーム入力部１４と、主映像ストリーム抽出部１６と、主映像デコード部１８と、副映像ストリーム抽出部２０と、副映像生成部２２と、主映像輝度検出部２４と、副映像輝度検出部２６と、バッファメモリ２８と、輝度調整部３０と、映像信号合成部３２と、映像信号出力部３４とを備える。映像信号出力部３４の出力は映像表示装置４に供給される。
【００１５】
実施の形態１の映像再生装置２の各ブロックの動作を説明する。
記録媒体再生部１２は、多重化ストリームが、例えばピットの長短として記録された光記録媒体を再生し、多重化ストリームを信号として出力する。
多重化ストリーム入力部１４は、多重化ストリームを入力し、主映像ストリーム抽出部１６及び副映像ストリーム抽出部２０に転送する。
主映像ストリーム抽出部１６は、多重化ストリームから主映像ストリームを抽出し、主映像デコード部１８に転送する。
主映像デコード部１８は主映像ストリームをデコードし、主映像信号を主映像輝度検出部２４及びバッファメモリ２８に転送する。
多重化ストリーム入力部１４と、主映像ストリーム抽出部１６と、主映像デコード部１８とで、主映像信号を入力する主映像信号入力部が構成されている。
【００１６】
主映像輝度検出部２４は主映像信号から主映像の明るさ指標値として輝度平均値を算出し、輝度調整部３０に出力する。輝度平均値の算出方法は後述する。
バッファメモリ２８は、主映像信号を格納し、遅延して出力する。
副映像ストリーム抽出部２０は、多重化ストリームから副映像ストリームを抽出し、副映像生成部２２に供給する。
副映像生成部２２は、副映像ストリームをデコードし、副映像信号を副映像輝度検出部２６及び輝度調整部３０に供給する。
多重化ストリーム入力部１４と、副映像ストリーム抽出部２０と、副映像生成部２２とで、副映像信号を入力する副映像信号入力部が構成されている。
【００１７】
副映像輝度検出部２６は、副映像信号から副映像の明るさ指標値として輝度平均値を算出し、輝度調整部３０に出力する。
輝度調整部３０は、主映像の輝度平均値と副映像の輝度平均値に基づいて副映像の輝度を調整し、輝度が調整された副映像を表す副映像信号を映像信号合成部３２に転送する。副映像の輝度の調整方法は後述する。
バッファメモリ２８は、主映像デコード部１８から出力された主映像信号を、輝度調整部３０から出力される副映像信号に同期させるために、主映像信号を遅延させる。
映像信号合成部３２は、輝度調整部３０が出力した副映像信号と、バッファメモリ２８で遅延された主映像信号とを合成し、主映像信号と副映像信号とを合成した映像信号（合成映像信号）を、映像信号出力部３４に供給する。
映像信号出力部３４は、合成映像信号を外部の映像表示装置４に出力する。
【００１８】
図２（ａ）は１フレーム内の画素の配置の例を示す図である。主映像の１フレームがｎ個の画素で構成されていることを示している。図２（ａ）にはまた主映像の一部に重ねて表示される副映像が占める部分の例が符号Ｒｓで示されている。図２（ａ）に示されるように、主映像の各画素の輝度値がＵｉ（ｉ＝１〜ｎ）で表わされるときに主映像輝度平均値Ｍａは次式（１）で表わされる。
【数１】
0006320946.tif 000002
【００１９】
副映像の輝度平均値Ｓａの算出も同様に行われる。即ち、図２（ｂ）に示すように、各フレーム内の副映像を構成する部分Ｒｓがｍ個の画素で構成され、副映像の各画素の輝度値がＸｉ（ｉ＝１〜ｍ）で表わされるときに副映像輝度平均値Ｓａは次式（２）で表わされる。
【数２】
0006320946.tif 000003
【００２０】
輝度調整部３０は主映像輝度検出部２４から出力される主映像の輝度平均値Ｍａと副映像輝度検出部２６から出力される副映像の輝度平均値Ｓａを用いて、副映像の輝度を調整する。
副映像の各画素の輝度値がＸｉで表わされるとき、輝度調整後の当該画素の輝度値Ｙｉは次式（３）で表わされる。
【数３】
0006320946.tif 000004
【００２１】
輝度調整部３０は上記の式（３）に従って演算を行うことで輝度が調整された副映像を表す副映像信号を出力する。
【００２２】
実施の形態１によれば、副映像の輝度平均値が主映像の輝度平均値と大幅に異なる場合にも、副映像の輝度平均値が主映像の輝度平均値と一致するように副映像の輝度が調整されるので、映像を見やすくし、ユーザーの目の疲労を少なくすることができる。
【００２３】
実施の形態２．
図３は、本発明の実施の形態２の映像再生装置２ｂの構成を示すブロック図である。実施の形態２の映像再生装置２ｂは、実施の形態１の主映像輝度検出部２４、副映像輝度検出部２６、及び輝度調整部３０の代わりに主映像輝度検出部２４ｂ、副映像輝度検出部２６ｂ、及び輝度調整部３０ｂを設けたものである。
【００２４】
主映像輝度検出部２４ｂは、主映像信号で表される主映像の輝度の分布を計測し、主映像の明るさ指標値として輝度最頻値を検出する。
副映像輝度検出部２６ｂは、副映像信号で表される副映像の輝度の分布を計測し、副映像の明るさ指標値として輝度最頻値を検出する。
輝度調整部３０ｂは、主映像輝度検出部２４ｂで検出した主映像の輝度最頻値と、副映像輝度検出部２６ｂで検出した副映像の輝度最頻値とに基づいて、副映像の輝度を調整する。
上記以外の構成は実施の形態１の映像再生装置２と同じであるので、共通部分の説明を省略する。
【００２５】
以下では、本実施の形態における副映像の輝度の調整を詳しく説明する。
輝度調整部３０ｂは主映像輝度検出部２４ｂから出力される主映像の輝度最頻値Ｍｍｏと副映像輝度検出部２６ｂから出力される副映像の輝度最頻値Ｓｍｏを用いて、副映像の輝度を調整する。
副映像の各画素の輝度値がＸｉで表わされるとき、輝度調整後の当該画素の輝度値Ｙｉは次式（４）で表わされる。
【数４】
0006320946.tif 000005
【００２６】
輝度調整部３０ｂは上記の式（４）に従って演算を行うことで輝度が調整された副映像を表す副映像信号を出力する。
【００２７】
実施の形態２の主映像輝度検出部２４ｂと副映像輝度検出部２６ｂは輝度最頻値の代わりに輝度中央値を算出し出力しても良い。
この場合、主映像輝度検出部２４ｂは、主映像信号で表される主映像の明るさ指標値として輝度中央値を検出し、副映像輝度検出部２６ｂは、副映像信号で表される副映像の明るさ指標値として輝度中央値を検出する。
輝度調整部３０ｂは、主映像輝度検出部２４ｂで検出した主映像の輝度中央値と、副映像輝度検出部２６ｂで検出した副映像の輝度中央値とに基づいて、副映像の輝度を調整する。
輝度調整部３０ｂは主映像輝度検出部２４ｂから出力される主映像の輝度中央値Ｍｍｄと副映像輝度検出部２６ｂから出力される副映像の輝度中央値Ｓｍｄを用いて、副映像の輝度を調整する。
【００２８】
副映像の各画素の輝度値がＸｉで表わされるとき、輝度調整後の当該画素の輝度値Ｙｉは次式（５）で表わされる。
【数５】
0006320946.tif 000006
【００２９】
輝度調整部３０ｂは上記の式（５）に従って演算を行うことで輝度が調整された副映像を表す副映像信号を出力する。
【００３０】
実施の形態２によれば、副映像の輝度分布から得られる明るさ指標値が主映像の輝度分布から得られる明るさ指標値と大幅に異なる場合にも、副映像の輝度分布から得られる明るさ指標値が主映像の輝度分布から得られる明るさ指標値と一致するように副映像の輝度が調整されるので、映像を見やすくし、ユーザーの目の疲労を少なくすることができる。
【００３１】
実施の形態３．
図４は、本発明の実施の形態３の映像再生装置２ｃの構成を示すブロック図である。実施の形態３の映像再生装置２ｃは、実施の形態１の主映像輝度検出部２４及び副映像輝度検出部２６を無くし、輝度変換情報生成部３６及び基準上限値メモリ３８を追加し、実施の形態１の輝度調整部３０の代わりに輝度調整部３０ｃを設けたものである。
【００３２】
映像表示装置４は映像再生装置２ｃに対して最大輝度値Ｄｍを示す最大輝度情報を出力する。最大輝度値Ｄｍとは、映像表示装置４が表示することができる輝度の最大値（最大表示輝度）を意味する。
【００３３】
基準上限値メモリ３８は、基準上限値Ｓｍを記憶している。
基準上限値Ｓｍは、映像表示装置４に表示される映像の輝度の上限値（表示輝度上限値、即ち副映像信号の輝度信号が、取り得る値の範囲のうちの最大値（８ビットの場合には２５５）であるときに映像表示装置４に表示されるべき輝度）として設定される値である。
【００３４】
映像再生装置２ｃに接続される可能性のある映像表示装置４の中には、最大輝度値Ｄｍが極めて高く、副映像を最大輝度値Ｄｍまでの全範囲を用いて副映像を表示すると、明るくなり過ぎる場合がある。実施の形態３では、最大輝度値Ｄｍが極めて高い映像表示装置４が接続された場合に、基準上限値Ｓｍを設け、副映像が基準上限値Ｓｍ以上にならないようにしている。即ち、基準上限値Ｓｍは、副映像が明るくなり過ぎるのを防ぐために設定される値である。
基準上限値Ｓｍは、例えば予め定められた固定値である。
【００３５】
輝度変換情報生成部３６は、映像表示装置４から、最大輝度値Ｄｍを表す最大輝度情報を取得し、基準上限値メモリ３８から基準上限値Ｓｍを読み出す。
輝度変換情報生成部３６は、基準上限値Ｓｍと、最大輝度値Ｄｍとを組合せて、輝度変換情報ｆＬを生成し、輝度調整部３０ｃに出力する。
【００３６】
輝度調整部３０ｃは、輝度変換情報生成部３６が出力する輝度変換情報ｆＬに基づいて副映像の輝度を調整する。
上記以外の構成は実施の形態１の映像再生装置２と同じであるので、共通部分の説明を省略する。
【００３７】
以下では、本実施の形態における副映像の輝度の調整を詳しく説明する。
輝度変換情報生成部３６は輝度変換情報ｆＬを出力し、輝度調整部３０ｃは輝度変換情報ｆＬを受け取る。輝度変換情報ｆＬは、例えば次式（６）の関数を定義するものである。
【数６】
0006320946.tif 000007
【００３８】
輝度調整部３０ｃは、式（６）に示される関数を変換式として用いて、副映像の輝度を調整する。即ち、輝度調整部３０ｃは、副映像の各画素の輝度値を、上記関数に代入することで、輝度調整後の、同じ画素の輝度値を算出する。副映像の各画素の輝度値がＸｉで表わされるとき、輝度調整後の当該画素の輝度値Ｙｉは次式（７）で表わされる。
【数７】
0006320946.tif 000008
【００３９】
輝度調整部３０ｃは上記の式（７）に従って演算を行うことで輝度が調整された副映像を表す副映像信号を出力する。
【００４０】
実施の形態３によれば、映像表示装置４の最大輝度値Ｄｍがどのような値でも、表示される副映像の輝度の最大値が基準上限値Ｓｍに一致するように副映像の輝度が調整されるので、副映像が明るくなり過ぎるのを防ぐことができ、映像を見やすくし、ユーザーの目の疲労を少なくすることができる。
【００４１】
なお、上記の例では、基準上限値メモリ３８が基準上限値Ｓｍを固定値として保持している。この基準上限値Ｓｍは固定値ではなく変更可能な値であっても良い。その場合、基準上限値Ｓｍをユーザーが映像再生装置２ｃを操作して変更することが可能なように構成してもよい。
【００４２】
実施の形態４．
図５は、本発明の実施の形態４の映像再生装置２ｄの構成を示すブロック図である。実施の形態４の映像再生装置２ｄは、実施の形態１の主映像輝度検出部２４及び副映像輝度検出部２６を無くし、輝度変換情報取得部４０を追加し、実施の形態１の輝度調整部３０の代わりに輝度調整部３０ｄを設けたものである。
【００４３】
実施の形態４の映像再生装置２ｄで再生される光記録媒体３には、主映像ストリーム及び副映像ストリームに加え、輝度変換情報をも多重化した多重化ストリームが記録されている。輝度変換情報ｆＬは、コンテンツ毎に、その主映像の明るさと副映像の明るさに基づいて、予め決定される。
【００４４】
記録媒体再生部１２は、光記録媒体３から、主映像ストリーム、副映像ストリーム及び輝度変換情報を含む多重化ストリームを再生する。
多重化ストリーム入力部１４は、記録媒体再生部で再生された多重化ストリームを入力し、主映像ストリーム抽出部１６及び副映像ストリーム抽出部２０のみならず、輝度変換情報取得部４０に転送する。
【００４５】
輝度変換情報取得部４０は、多重化ストリーム入力部１４から供給された多重化ストリームから輝度変換情報ｆＬを抽出し、輝度調整部３０ｄに転送する。
輝度調整部３０ｄは、輝度変換情報取得部４０から供給された輝度変換情報ｆＬを用いて副映像の輝度を調整する。
上記以外の構成は実施の形態１の映像再生装置２と同じであるので、説明を省略する。
【００４６】
以下では、本実施の形態における副映像の輝度の調整を詳しく説明する。
輝度変換情報取得部４０は輝度変換情報ｆＬを出力し、輝度調整部３０ｄは輝度変換情報ｆＬを受け取る。輝度変換情報ｆＬは、例えば次式（８）の関数を定義するものである。
【数８】
0006320946.tif 000009
式（８）でＣＬは定数である。
【００４７】
輝度調整部３０ｄは、式（８）に示される関数を変換式として用いて、副映像の輝度を調整する。即ち、輝度調整部３０ｄは、副映像の各画素の輝度値を、上記関数に代入することで、輝度調整後の、同じ画素の輝度値を算出する。副映像の各画素の輝度値がＸｉで表わされるとき、輝度調整後の当該画素の輝度値Ｙｉは次式（９）で表わされる。
【数９】
0006320946.tif 000010
【００４８】
輝度調整部３０ｄは上記の式（９）に従って演算を行うことで輝度が調整された副映像を表す副映像信号を出力する。
【００４９】
実施の形態４によれば、副映像ストリームと多重化された輝度変換情報ｆＬに基づいて副映像の輝度が調整されるので、映像を見やすくし、ユーザーの目の疲労を少なくすることができる。
【００５０】
なお、実施の形態４の輝度変換情報ｆＬは上記の式（８）のような１次関数を定義するものに限らず、２次関数又はより高次の関数を定義するものであっても良い。
【００５１】
上記の例では、輝度変換情報ｆＬが輝度変換に用いられる関数を定義するものであるが、本発明はこれに限定されない。輝度変換情報ｆＬは、輝度変換テーブルを定義するものであっても良い。
輝度変換情報ｆＬが輝度変換テーブルを定義するものである場合、輝度調整部３０ｄとして、副映像の各画素の輝度値を、変換テーブルに入力することで、輝度調整後の、同じ画素の輝度値を生成するものを用いればよい。
【００５２】
また、輝度変換情報ｆＬは副映像の種類に応じて変えてもよい。ここで言う副映像の種類の例としては、「字幕」、「ＪＰＥＧ形式で圧縮された画像」、及び「ＰＮＧ（Ｐｏｒｔａｂｌｅ  Ｎｅｔｗｏｋ  Ｇｒａｐｈｉｃｓ）形式で圧縮された画像」がある。
【００５３】
実施の形態５．
図６は、本発明の実施の形態５の映像再生装置２ｅの構成を示すブロック図である。実施の形態５の映像再生装置２ｅは、実施の形態４の輝度変換情報取得部４０の代わりに、輝度変換情報取得部４１を設け、輝度変換情報メモリ４２を付加したものである。
【００５４】
輝度変換情報メモリ４２は、複数の輝度変換情報を記憶している。複数の輝度変換情報の各々は、実施の形態４で説明した変換式を定義するものであっても良く、輝度変換テーブルを定義する情報であっても良い。
【００５５】
実施の形態５の映像再生装置２ｅで再生される光記録媒体３には、主映像ストリーム及び副映像ストリームに加え、指定情報をも多重化した多重化ストリームが記録されている。この指定情報は、輝度変換情報メモリ４２に記憶されている複数の輝度変換情報のうちのいずれかを指定するものである。この指定情報は、コンテンツ毎に、その主映像の明るさと副映像の明るさに基づいて予め定められる。
【００５６】
記録媒体再生部１２は、光記録媒体３から、主映像ストリーム、副映像ストリーム及び指定情報を含む多重化ストリームを再生する。
多重化ストリーム入力部１４は、記録媒体再生部１２で再生された多重化ストリームを入力し、主映像ストリーム抽出部１６及び副映像ストリーム抽出部２０のみならず、輝度変換情報取得部４１に転送する。
【００５７】
輝度変換情報取得部４１は、多重化ストリーム入力部１４から供給された多重化ストリームから指定情報を抽出し、抽出した指定情報に基づいて、輝度変換情報メモリ４２に記憶されている複数の輝度変換情報のうちのいずれか（指定情報で指定されている輝度変換情報）を選択して取得し、輝度調整部３０ｄに供給する。
【００５８】
輝度調整部３０ｄは、輝度変換情報取得部４１から供給された輝度変換情報ｆＬを用いて副映像の輝度を調整する。
上記以外の構成は、実施の形態４の映像再生装置２ｄと同じであるので、説明を省略する。
【００５９】
実施の形態６．
図７は、本発明の実施の形態６の映像再生装置２ｆの構成を示すブロック図である。実施の形態６の映像再生装置２ｆは、実施の形態１の主映像輝度検出部２４及び副映像輝度検出部２６を無くし、輝度変換情報取得部４４を追加し、輝度調整部３０の代わりに輝度調整部３０ｆを設けたものである。
【００６０】
実施の形態６の映像再生装置２ｆで再生される光記録媒体３には、主映像ストリーム及び副映像ストリームが多重化ストリームとして記録されているほか、輝度変換情報が再生制御情報として記録されている。輝度変換情報ｆＬは、コンテンツ毎に、その主映像の明るさと副映像の明るさに基づいて、予め決定される。
【００６１】
記録媒体再生部１２は、光記録媒体３から、主映像ストリーム及び副映像ストリームを含む多重化ストリームを再生するほか、再生制御情報として記録されている輝度変換情報をも再生する。再生された多重化ストリームは、多重化ストリーム入力部１４に供給され、再生された輝度変換情報ｆＬは、輝度変換情報取得部４４に供給される。
【００６２】
輝度変換情報取得部４４は、記録媒体再生部１２で再生された輝度変換情報ｆＬを受け取り、輝度調整部３０ｆに転送する。
輝度調整部３０ｆは、輝度変換情報取得部４４から供給された輝度変換情報ｆＬを用いて副映像の輝度を調整する。
上記以外の構成は実施の形態１の映像再生装置２と同じであるので、説明を省略する。
【００６３】
以下では、本実施の形態における副映像の輝度の調整を詳しく説明する。
輝度変換情報取得部４４は輝度変換情報ｆＬを出力し、輝度調整部３０ｆは輝度変換情報ｆＬを受け取る。輝度変換情報ｆＬは例えば、次式（１０）の関数を定義するものである。
【数１０】
0006320946.tif 000011
式（１０）でＣＬは定数である。
【００６４】
輝度調整部３０ｆは、式（１０）に示される関数を変換式として用いて、副映像の輝度を調整する。即ち、輝度調整部３０ｆは、副映像の各画素の輝度値を、上記関数に代入することで、輝度調整後の、同じ画素の輝度値を算出する。副映像の各画素の輝度値がＸｉで表わされるとき、輝度調整後の当該画素の輝度値Ｙｉは次式（１１）で表わされる。
【数１１】
0006320946.tif 000012
【００６５】
輝度調整部３０ｆは上記の式（１１）に従って演算を行うことで輝度が調整された副映像を表す副映像信号を出力する。
【００６６】
実施の形態６によれば、光記録媒体３に再生制御情報として記録された輝度変換情報ｆＬに基づいて副映像の輝度が調整されるので、映像を見やすくし、ユーザーの目の疲労を少なくすることができる。
【００６７】
なお実施の形態６の輝度変換情報ｆＬは上記の式（１０）のような１次関数を定義するものに限らず、２次関数又はより高次の関数を定義するものであっても良い。
【００６８】
上記の例では、輝度変換情報ｆＬが輝度変換に用いられる関数を定義するものであるが、本発明はこれに限定されない。輝度変換情報ｆＬは、輝度変換テーブルを定義するものであっても良い。
輝度変換情報ｆＬが輝度変換テーブルを定義するものである場合、輝度調整部３０ｆとして、副映像の各画素の輝度値を、変換テーブルに入力することで、輝度調整後の、同じ画素の輝度値を生成するものを用いればよい。
【００６９】
また、輝度変換情報ｆＬは副映像の種類に応じて変えてもよい。ここで言う副映像の種類の例としては、「字幕」、「ＪＰＥＧ形式で圧縮された画像」、及び「ＰＮＧ（Ｐｏｒｔａｂｌｅ  Ｎｅｔｗｏｋ  Ｇｒａｐｈｉｃｓ）形式で圧縮された画像」がある。
【００７０】
実施の形態７．
図８は、本発明の実施の形態７の映像再生装置２ｇの構成を示すブロック図である。実施の形態７の映像再生装置２ｇは、実施の形態６の輝度変換情報取得部４４の代わりに、輝度変換情報取得部４５を設け、輝度変換情報メモリ４６を付加したものである。
【００７１】
輝度変換情報メモリ４６は、複数の輝度変換情報を記憶している。複数の輝度変換情報の各々は、実施の形態６で説明した変換式を定義するものであっても良く、輝度変換テーブルを定義する情報であっても良い。
【００７２】
実施の形態７の映像再生装置２ｇで再生される光記録媒体３には、主映像ストリーム及び副映像ストリームが多重化ストリームとして記録されているほか、指定情報が再生制御情報として記録されている。指定情報は、輝度変換情報メモリ４６に記憶されている複数の輝度変換情報のいずれかを指定するものである。指定情報は、コンテンツ毎に、その主映像の明るさと副映像の明るさに基づいて、予め決定される。
【００７３】
記録媒体再生部１２は、光記録媒体３から、主映像ストリーム及び副映像ストリームを含む多重化ストリームを再生するほか、再生制御情報として記録されている指定情報をも再生する。再生された多重化ストリームは、多重化ストリーム入力部１４に供給され、再生された指定情報は、輝度変換情報取得部４５に供給される。
【００７４】
輝度変換情報取得部４５は、記録媒体再生部１２で再生された指定情報を受け取り、受け取った指定情報に基づいて、輝度変換情報メモリ４６に記憶されている複数の輝度変換情報のいずれか（指定情報で指定されている輝度変換情報）を選択して、取得する。そして、取得した輝度変換情報ｆＬを輝度調整部３０ｆに供給する。
【００７５】
輝度調整部３０ｆは、輝度変換情報取得部４５から供給された輝度変換情報ｆＬを用いて副映像の輝度を調整する。
上記以外の構成は、実施の形態６の映像再生装置２ｆと同じであるので、説明を省略する。
【００７６】
実施の形態８．
図９は、本発明の実施の形態８の映像再生装置２ｈの構成を示すブロック図である。実施の形態８の映像再生装置２ｈは、実施の形態７の輝度変換情報取得部４５の代わりに、輝度変換情報取得部４７を設けたものである。輝度変換情報取得部４７は、ネットワーク５を介して１又は２以上のサーバー６に接続されている。
【００７７】
１又は２以上のサーバー６の各々は、１又は２以上の輝度変換情報を記憶している。１又は２以上のサーバー６に記憶されている１又は２以上の輝度変換情報の各々は、実施の形態６で説明した変換式を定義するものであっても良く、輝度変換テーブルを定義する情報であっても良い。
【００７８】
実施の形態８の映像再生装置２ｈで再生される光記録媒体３には、主映像ストリーム及び副映像ストリームが多重化ストリームとして記録されているほか、指定情報が再生制御情報として記録されている。指定情報は、ネットワーク５に接続されているサーバー６のいずれかに記憶されている輝度変換情報のいずれかを指定するものである。指定情報は、コンテンツ毎に、その主映像の明るさと副映像の明るさに基づいて、予め決定される。
【００７９】
記録媒体再生部１２は、光記録媒体３から、主映像ストリーム及び副映像ストリームを含む多重化ストリームを再生するほか、再生制御情報として記録されている指定情報をも再生する。再生された多重化ストリームは、多重化ストリーム入力部１４に供給され、再生された指定情報は、輝度変換情報取得部４７に供給される。
【００８０】
輝度変換情報取得部４７は、記録媒体再生部１２で再生された指定情報を受け取り、受け取った指定情報に基づいて、ネットワーク５に接続されているサーバー６のいずれかに記憶されている輝度変換情報のいずれかを選択して、取得する。そして、取得した輝度変換情報ｆＬを輝度調整部３０ｆに供給する。
【００８１】
輝度調整部３０ｆは、輝度変換情報取得部４７から供給された輝度変換情報ｆＬを用いて副映像の輝度を調整する。
上記以外の構成は、実施の形態７の映像再生装置２ｇと同じであるので、説明を省略する。
【００８２】
なお、実施の形態８を実施の形態７の変形例として記載したが、実施の形態５にも同様の変形を加え得る。即ち、ネットワーク５に接続されたサーバー６のいずれかに記憶された輝度変換情報のいずれかを、光記録媒体３に記録された多重化ストリームに含まれる指定情報により指定するようにしても良い。
【００８３】
なお、実施の形態１から８の副映像生成部２２が出力する副映像信号は副映像ストリームをデコードした映像信号に限らず、副映像生成部２２において副映像ストリームに含まれるプログラムを用いて生成された映像信号でもよい。
【００８４】
実施の形態１から８において、記録媒体が、光記録媒体である場合について説明したが、本発明は記録媒体がハードディスクドライブで構成される場合にも適用可能である。
【００８５】
以上本発明を映像再生装置として説明したが、上記の映像再生装置で実施される映像再生方法もまた本発明の一部を成す。
【００８６】
図１０は、実施の形態１又は２の映像再生装置を用いて実施される映像再生方法の処理の手順を示す。
【００８７】
光記録媒体再生ステップＳＴ１では、光記録媒体から多重化ストリームを再生する。
この処理は、図１又は図３の記録媒体再生部１２により行われる。
【００８８】
主映像信号入力ステップＳＴ２では、主映像を表す主映像信号を入力する。
この処理は図１又は図３の多重化ストリーム入力部１４、主映像ストリーム抽出部１６、及び主映像デコード部１８によって行われる。
【００８９】
副映像信号入力ステップＳＴ３では、副映像を表す副映像信号を入力する。この処理は、図１又は図３の多重化ストリーム入力部１４、副映像ストリーム抽出部２０、及び副映像生成部２２によって行われる。
【００９０】
主映像輝度検出ステップＳＴ４では、主映像の明るさを検出して、主映像の明るさ指標値を出力する。
この処理は、図１の主映像輝度検出部２４又は図３の主映像輝度検出部２４ｂで行われる。
実施の形態１では、主映像の明るさ指標値として、主映像の輝度平均値を求める。
実施の形態２では、主映像の明るさ指標値として、主映像の輝度最頻値又は輝度中央値を求める。
【００９１】
副映像輝度検出ステップＳＴ５では、副映像の明るさを検出して、副映像の明るさ指標値を出力する。
実施の形態１では、副映像の明るさ指標値として、副映像の輝度平均値を求める。この場合の処理は、図１の副映像輝度検出部２６で行われる。
実施の形態２では、副映像の明るさ指標値として、副映像の輝度最頻値又は輝度中央値を求める。この場合の処理は、図３の副映像輝度検出部２６ｂで行われる。
【００９２】
輝度調整ステップＳＴ６では、主映像の明るさ指標値と副映像の明るさ指標値に基づいて副映像の輝度を調整する。
例えば、副映像の明るさ指標値が主映像の明るさ指標値に一致するように、副映像の輝度を調整する。
この処理は、図１の輝度調整部３０又は図３の輝度調整部３０ｂで行われる。
【００９３】
映像信号合成ステップＳＴ７では、主映像信号と、輝度が調整された副映像を表す前記副映像信号とを合成し、合成映像信号を生成する。
この処理は、図１又は図３の映像信号合成部３２で行われる。
【００９４】
映像信号出力ステップＳＴ８では、合成映像信号を映像表示装置に出力する。
この処理は、図１又は図３の映像信号出力部３４で行われる。
【００９５】
図１１は、実施の形態３から８のいずれかの映像再生装置を用いて実施される映像再生方法の処理の手順を示す。
図１１において、ステップＳＴ１〜ＳＴ３、ＳＴ７、及びＳＴ８は、図１０と同じである。
【００９６】
輝度変換情報提供ステップＳＴ１５では、輝度変換情報ｆＬを提供する。
輝度変換情報ｆＬは、副映像の各画素の輝度値を変数とする関数を定義するものであっても良く、
副映像の各画素の輝度値を入力とする変換テーブルを定義するものあっても良い。
【００９７】
輝度調整ステップＳＴ１６では、輝度変換情報ｆＬに基づいて副映像の輝度を調整する。
この処理は、図４の輝度調整部３０ｃ、図５又は図６の輝度調整部３０ｄ又は図７、図８又は図９の輝度調整部３０ｆで行われる。
【００９８】
輝度変換情報ｆＬが、副映像の各画素の輝度値を変数とする関数を定義するものである場合には、副映像の各画素の輝度値を、上記の関数に代入することで、輝度調整後の、同じ画素の輝度値を算出する。
輝度変換情報ｆＬが、副映像の各画素の輝度値を入力とする変換テーブルを定義するものである場合には、副映像の各画素の輝度値を、上記の変換テーブルに入力することで、輝度調整後の、同じ画素の輝度値を生成する。
【００９９】
実施の形態３の場合、基準上限値メモリ３８に基準上限値Ｓｍを記憶させておき、輝度変換情報提供ステップＳＴ１５で、図４の輝度変換情報生成部３６が、基準上限値メモリ３８から基準上限値Ｓｍを読み出すとともに、映像表示装置４で表示可能な最大輝度値Ｄｍを映像表示装置４から取得し、読み出された基準上限値Ｓｍと、取得した最大輝度値Ｄｍとから輝度変換情報ｆＬを生成する。
【０１００】
この場合、輝度変換情報ｆＬは、基準上限値Ｓｍの最大輝度値Ｄｍに対する比（Ｓｍ／Ｄｍ）を副映像の各画素の輝度値（Ｘｉ）に掛けることで、輝度調整後の当該画素の輝度値（Ｙｉ）を算出する関数を定義するものである。
【０１０１】
基準上限値Ｓｍは予め定められた固定値であっても良く、ユーザーによる操作により変更可能な値であっても良い。
【０１０２】
実施の形態４の場合、輝度変換情報ｆＬを、主映像信号及び副映像信号と共に多重化ストリームに含ませておく。
この場合、上記の多重化ストリーム再生ステップＳＴ１では、多重化ストリーム入力部１４が、主映像信号、副映像信号及び輝度変換情報を含む多重化ストリームを読出し、
輝度変換情報提供ステップＳＴ１５では、輝度変換情報取得部４０が、多重化ストリームから輝度変換情報を抽出する。
【０１０３】
実施の形態５の場合、複数の輝度変換情報を、輝度変換情報メモリ４２に記憶させておき、光記録媒体３に、指定情報を主映像信号及び副映像信号と共に多重化したストリームを記録させておく。
この場合、上記の多重化ストリーム再生ステップＳＴ１では、多重化ストリーム入力部１４が、主映像信号、副映像信号及び指定情報を含む多重化ストリームを読出し、
輝度変換情報提供ステップＳＴ１５では、輝度変換情報取得部４１が、多重化ストリームから指定情報を抽出し、抽出した指定情報に基づいて、輝度変換情報メモリ４２に記憶されている複数の輝度変換情報のうちのいずれかを選択して取得する。
【０１０４】
実施の形態６の場合、輝度変換情報ｆＬを再生制御情報として、主映像信号及び副映像信号と共に光記録媒体３に記録させておく。
この場合、上記の多重化ストリーム再生ステップＳＴ１では、光記録媒体３から、主映像信号、副映像信号及び輝度変換情報ｆＬを読み出し、
輝度変換情報提供ステップＳＴ１５では、輝度変換情報取得部４４が、多重化ストリーム再生ステップＳＴ１で光記録媒体３から読み出された輝度変換情報を取得する。
【０１０５】
実施の形態７の場合、指定情報を再生制御情報として、主映像信号及び副映像信号とともに、光記録媒体３に記録させておく。
この場合、上記の多重化ストリーム再生ステップＳＴ１では、記録媒体再生部１２が、光記録媒体から、主映像信号、副映像信号及び指定情報を再生する。
輝度変換情報提供ステップＳＴ１５では、輝度変換情報取得部４５が、多重化ストリーム再生ステップＳＴ１で光記録媒体３から読み出された指定情報に基づいて、輝度変換情報メモリ４６に記憶されている複数の輝度変換情報のうちのいずれかを選択して取得する。
【０１０６】
実施の形態８の場合、指定情報を再生制御情報として、主映像信号及び副映像信号とともに、光記録媒体３に記録させておく。
この場合、上記の多重化ストリーム再生ステップＳＴ１では、記録媒体再生部１２が、光記録媒体から、主映像信号、副映像信号及び指定情報を再生する。
輝度変換情報提供ステップＳＴ１５では、輝度変換情報取得部４７が、多重化ストリーム再生ステップＳＴ１で光記録媒体３から読み出された指定情報に基づいて、ネットワーク５に接続されているサーバー６のいずれかに記憶されている輝度変換情報のいずれか（指定情報に指定されている輝度変換情報）を選択して取得する。
【０１０７】
上記の映像再生装置の構成の一部又は全部で行われる処理、或いは上記の映像再生方法で行われる処理の一部又は全部はプロセッサを備えたコンピュータに実行させることができる。従って、コンピュータに上記の映像再生装置の構成の一部又は全部で行われる処理、上記の映像再生方法で行われる処理の一部又は全部を実行させるためのプログラム、及び該プログラムを記録した、コンピュータで読み取り可能な記録媒体もまた本発明の一部を成す。
【０１０８】
上記のコンピュータの一例を図１２に示す。図１２のコンピュータは、プロセッサ５１と、プログラムメモリ５２と、データメモリ５３と、入力インターフェース５４と、出力インターフェース５５とを備え、これらはデータバス５６で接続されている。
プロセッサ５１は、プログラムメモリ５２に記憶されたプログラムに従って動作し、入力インターフェース５４を介して入力された多重化ストリームに対して、実施の形態１から８のいずれかの映像再生装置の各部の処理を行って、処理の結果得られた合成映像信号を出力インターフェース５５から出力する。
【０１０９】
プロセッサ５１による処理の内容は、実施の形態１から７で説明したのと同様であり、その手順は、図１０又は図１１を参照して説明したのと同様である。処理の過程で生成されるデータはデータメモリ５３に保持される。データメモリ５３はまた、処理に必要な設定値、例えば実施の形態３の基準上限値Ｓｍを記憶するのに用いられ、実施の形態５又は実施の形態７の輝度変換情報を記憶するのに用いられる。
出力インターフェース５５から出力された合成映像信号は例えば映像表示装置４に供給される。
【０１１０】
なおまた、図１２に示されるコンピュータを複数台設け、それぞれに、映像再生装置の各部の処理を行わせることとしても良い。映像再生方法の処理の一部又は全部をコンピュータに実行させる場合も同様である。
【符号の説明】
【０１１１】
２、２ｂ、２ｃ、２ｄ、２ｅ、２ｆ、２ｇ、２ｈ  映像再生装置、  ４  映像表示装置、  １２  記録媒体再生部、  １４  多重化ストリーム入力部、  １６  主映像ストリーム抽出部、  １８  主映像デコード部、  ２０  副映像ストリーム抽出部、  ２２  副映像生成部、  ２４、２４ｂ  主映像輝度検出部、  ２６、２６ｂ  副映像輝度検出部、  ２８  バッファメモリ、  ３０、３０ｂ、３０ｃ、３０ｄ、３０ｆ  輝度調整部、  ３２  映像信号合成部、  ３４  映像信号出力部、  ３６  輝度変換情報生成部、  ３８  基準上限値メモリ、  ４０、４１  輝度変換情報取得部、  ４２  輝度変換情報メモリ、  ４４、４５  輝度変換情報取得部、  ４６  輝度変換情報メモリ、  ４７  輝度変換情報取得部、  ５１  プロセッサ、  ５２  プログラムメモリ、  ５３  データメモリ、  ５４  入力インターフェース、  ５５  出力インターフェース、  ５６  データバス。
【図１】
0006320946.tif 000013
【図２】
0006320946.tif 000014
【図３】
0006320946.tif 000015
【図４】
0006320946.tif 000016
【図５】
0006320946.tif 000017
【図６】
0006320946.tif 000018
【図７】
0006320946.tif 000019
【図８】
0006320946.tif 000020
【図９】
0006320946.tif 000021
【図１０】
0006320946.tif 000022
【図１１】
0006320946.tif 000023
【図１２】
0006320946.tif 000024